【手続補正書】
【提出日】令和3年5月10日(2021.5.10)
【手続補正１】
【補正対象書類名】明細書
【補正対象項目名】発明の名称
【補正方法】変更
【補正の内容】
【発明の名称】売上データ処理システム、売上データ処理装置、設定方法およびプログラム
【手続補正２】
【補正対象書類名】明細書
【補正対象項目名】０００１
【補正方法】変更
【補正の内容】
【０００１】
本発明は、売上データ処理システム、売上データ処理装置、設定方法およびプログラムに関する。
【手続補正３】
【補正対象書類名】明細書
【補正対象項目名】０００８
【補正方法】変更
【補正の内容】
【０００８】
本発明に係る第１の態様の売上データ処理システムは、売上データ処理装置が所定の情報端末を所有するキャッシャーをサインインさせる売上データ処理システムであって、前記売上データ処理装置は、前記情報端末を識別するための端末識別情報と、前記キャッシャーに係る設定データと、を受信する通信手段と、前記通信手段を介して受信した端末識別情報に基づいて前記キャッシャーをサインインさせるとともに前記受信した設定データに基づく設定を適用する制御手段と、を備えることを特徴とする。
また、本発明に係る第２の態様の売上データ処理システムは、所定の情報端末が送信する当該情報端末を識別するための端末識別情報を売上データ処理装置が受信することにより前記売上データ処理装置のキャッシャーへの所定の使用制限が解除される売上データ処理システムであって、前記情報端末は、前記情報端末を識別するための端末識別情報を送信するとともに前記端末識別情報に対応付けて所定の設定データを送信可能な送信手段を備え、前記売上データ処理装置は、前記送信手段により前記情報端末から送信された前記端末識別情報を受信した場合に前記端末識別情報に対応付けて予め登録されているキャッシャーをサインインさせるとともに、受信した前記端末識別情報に前記所定の設定データが対応付けて前記情報端末から送信されてきた場合には前記サインインの状態における前記売上データ処理装置からの所定の出力情報に前記設定データを適用する制御手段と、を備えることを特徴とする。
また、本発明に係る第１の態様の売上データ処理装置は、所定の情報端末を所有するキャッシャーをサインインさせる売上データ処理装置であって、前記情報端末を識別するための端末識別情報と、前記キャッシャーに係る設定データと、を受信する通信手段と、前記通信手段を介して受信した端末識別情報に基づいて前記キャッシャーをサインインさせるとともに前記受信した設定データに基づく設定を適用する制御手段と、を備えることを特徴とする。
また、本発明に係る第２の態様の売上データ処理装置は、所定の情報端末が送信する当該情報端末を識別するための端末識別情報を受信することによりキャッシャーへの所定の使用制限が解除される売上データ処理装置であって、前記情報端末から送信された前記端末識別情報を受信した場合に前記端末識別情報に対応付けて予め登録されているキャッシャーをサインインさせるとともに、受信した前記端末識別情報に所定の設定データが対応付けて前記情報端末から送信されてきた場合には前記サインインの状態における所定の出力情報に前記設定データを適用する制御手段、を備えることを特徴とする。
また、本発明に係る第１の態様の設定方法は、売上データ処理装置が所定の情報端末を所有するキャッシャーをサインインさせる売上データ処理システムが実行する設定方法であって、前記売上データ処理装置が、前記情報端末を識別するための端末識別情報と、前記キャッシャーに係る設定データと、を受信する通信ステップと、前記通信ステップで受信した端末識別情報に基づいて前記キャッシャーをサインインさせるとともに前記受信した設定データに基づく設定を適用する制御ステップと、を含むことを特徴とする。
また、本発明に係る第２の態様の設定方法は、所定の情報端末が送信する当該情報端末を識別するための端末識別情報を受信することによりキャッシャーへの所定の使用制限が解除される売上データ処理装置が実行する設定方法であって、前記情報端末から送信された前記端末識別情報を受信した場合に前記端末識別情報に対応付けて予め登録されているキャッシャーをサインインさせるとともに、受信した前記端末識別情報に所定の設定データが対応付けて前記情報端末から送信されてきた場合には前記サインインの状態における所定の出力情報に前記設定データを適用する制御ステップ、を含むことを特徴とする。
また、本発明に係る第１の態様のプログラムは、所定の情報端末を所有するキャッシャーをサインインさせる売上データ処理装置のコンピュータを、情報端末を識別するための端末識別情報と、当該情報端末を所有するキャッシャーに係る設定データと、を受信する通信手段、前記通信手段を介して受信した端末識別情報に基づいて前記キャッシャーをサインインさせるとともに前記受信した設定データに基づく設定を適用する制御手段、として機能させることを特徴とする。
また、本発明に係る第２の態様のプログラムは、所定の情報端末が送信する当該情報端末を識別するための端末識別情報を受信することによりキャッシャーへの所定の使用制限が解除される売上データ処理装置のコンピュータを、前記情報端末から送信された前記端末識別情報を受信した場合に前記端末識別情報に対応付けて予め登録されているキャッシャーをサインインさせるとともに、受信した前記端末識別情報に所定の設定データが対応付けて前記情報端末から送信されてきた場合には前記サインインの状態における所定の出力情報に前記設定データを適用する制御手段、として機能させることを特徴とする。
また、本発明に係る第３の態様のプログラムは、売上データ処理装置と通信可能な情報端末のコンピュータを、前記売上データ処理装置に対するサインイン処理を実行する操作をキャッシャーから受け付ける入力手段、前記入力手段により前記操作をキャッシャーから受け付けた際に、前記売上データ処理装置に対して、自身を識別するための端末識別情報と、前記キャッシャーに係る設定データと、を通信手段を介して送信する通信制御手段、として機能させることを特徴とする。
【手続補正４】
【補正対象書類名】特許請求の範囲
【補正対象項目名】全文
【補正方法】変更
【補正の内容】
【特許請求の範囲】
【請求項１】
売上データ処理装置が所定の情報端末を所有するキャッシャーをサインインさせる売上データ処理システムであって、
前記売上データ処理装置は、
前記情報端末を識別するための端末識別情報と、前記キャッシャーに係る設定データと、を受信する通信手段と、
前記通信手段を介して受信した端末識別情報に基づいて前記キャッシャーをサインインさせるとともに前記受信した設定データに基づく設定を適用する制御手段と、
を備えることを特徴とする売上データ処理システム。
【請求項２】
前記設定データは、前記キャッシャーの固有の画像および／またはメッセージを包含し、
前記制御手段は、前記設定データに基づく設定が適用された際に、前記キャッシャーの固有の画像および／またはメッセージをレシートに印字させる、
ことを特徴とする請求項１に記載の売上データ処理システム。
【請求項３】
前記情報端末は、
前記売上データ処理装置と、当該売上データ処理装置に前記キャッシャーがサインイン可能な時間帯とが対応付けられたスケジュール情報に基づいて、前記キャッシャーが現在時刻において前記売上データ処理装置にサインイン可能か否かを判別する判別手段、
を備えることを特徴とする請求項１または２に記載の売上データ処理システム。
【請求項４】
前記制御手段は、通信中の前記情報端末との間で通信不能になったとき、当該情報端末を所有する前記キャッシャーをサインアウトさせる、
ことを特徴とする請求項１から３の何れか一項に記載の売上データ処理システム。
【請求項５】
所定の情報端末が送信する当該情報端末を識別するための端末識別情報を売上データ処理装置が受信することにより前記売上データ処理装置のキャッシャーへの所定の使用制限が解除される売上データ処理システムであって、
前記情報端末は、
前記情報端末を識別するための端末識別情報を送信するとともに前記端末識別情報に対応付けて所定の設定データを送信可能な送信手段を備え、
前記売上データ処理装置は、
前記送信手段により前記情報端末から送信された前記端末識別情報を受信した場合に前記端末識別情報に対応付けて予め登録されているキャッシャーをサインインさせるとともに、受信した前記端末識別情報に前記所定の設定データが対応付けて前記情報端末から送信されてきた場合には前記サインインの状態における前記売上データ処理装置からの所定の出力情報に前記設定データを適用する制御手段と、
を備えることを特徴とする売上データ処理システム。
【請求項６】
所定の情報端末を所有するキャッシャーをサインインさせる売上データ処理装置であって、
前記情報端末を識別するための端末識別情報と、前記キャッシャーに係る設定データと、を受信する通信手段と、
前記通信手段を介して受信した端末識別情報に基づいて前記キャッシャーをサインインさせるとともに前記受信した設定データに基づく設定を適用する制御手段と、
を備えることを特徴とする売上データ処理装置。
【請求項７】
所定の情報端末が送信する当該情報端末を識別するための端末識別情報を受信することによりキャッシャーへの所定の使用制限が解除される売上データ処理装置であって、
前記情報端末から送信された前記端末識別情報を受信した場合に前記端末識別情報に対応付けて予め登録されているキャッシャーをサインインさせるとともに、受信した前記端末識別情報に所定の設定データが対応付けて前記情報端末から送信されてきた場合には前記サインインの状態における所定の出力情報に前記設定データを適用する制御手段、
を備えることを特徴とする売上データ処理装置。
【請求項８】
売上データ処理装置が所定の情報端末を所有するキャッシャーをサインインさせる売上データ処理システムが実行する設定方法であって、
前記売上データ処理装置が、
前記情報端末を識別するための端末識別情報と、前記キャッシャーに係る設定データと、を受信する通信ステップと、
前記通信ステップで受信した端末識別情報に基づいて前記キャッシャーをサインインさせるとともに前記受信した設定データに基づく設定を適用する制御ステップと、
を含むことを特徴とする設定方法。
【請求項９】
所定の情報端末が送信する当該情報端末を識別するための端末識別情報を受信することによりキャッシャーへの所定の使用制限が解除される売上データ処理装置が実行する設定方法であって、
前記情報端末から送信された前記端末識別情報を受信した場合に前記端末識別情報に対応付けて予め登録されているキャッシャーをサインインさせるとともに、受信した前記端末識別情報に所定の設定データが対応付けて前記情報端末から送信されてきた場合には前記サインインの状態における所定の出力情報に前記設定データを適用する制御ステップ、
を含むことを特徴とする設定方法。
【請求項１０】
所定の情報端末を所有するキャッシャーをサインインさせる売上データ処理装置のコンピュータを、
情報端末を識別するための端末識別情報と、当該情報端末を所有するキャッシャーに係る設定データと、を受信する通信手段、
前記通信手段を介して受信した端末識別情報に基づいて前記キャッシャーをサインインさせるとともに前記受信した設定データに基づく設定を適用する制御手段、
として機能させるためのプログラム。
【請求項１１】
所定の情報端末が送信する当該情報端末を識別するための端末識別情報を受信することによりキャッシャーへの所定の使用制限が解除される売上データ処理装置のコンピュータを、
前記情報端末から送信された前記端末識別情報を受信した場合に前記端末識別情報に対応付けて予め登録されているキャッシャーをサインインさせるとともに、受信した前記端末識別情報に所定の設定データが対応付けて前記情報端末から送信されてきた場合には前記サインインの状態における所定の出力情報に前記設定データを適用する制御手段、
として機能させるためのプログラム。
【請求項１２】
売上データ処理装置と通信可能な情報端末のコンピュータを、
前記売上データ処理装置に対するサインイン処理を実行する操作をキャッシャーから受け付ける入力手段、
前記入力手段により前記操作をキャッシャーから受け付けた際に、前記売上データ処理装置に対して、自身を識別するための端末識別情報と、前記キャッシャーに係る設定データと、を通信手段を介して送信する通信制御手段、
として機能させるためのプログラム。